(57)【要約】【課題】ホログラム記録再生方式として、記録再生効率の向上を図る。【解決手段】記録時には、記録データに応じて空間光強度変調を施した信号光のみを照射して情報記録を行う。再生時には、その全域が均一な光強度となるように生成したＤＣ光を照射することで、記録された信号光についての再生光を得る。このように信号光のみの照射で情報を記録し、その記録情報を再生することができれば、信号光と共に参照光を照射して記録を行う従来のコアキシャル方式が採用される場合と比較して、１度に記録再生できるデータ容量を増加させることができ、結果、記録再生効率の向上が図られる。記録された信号光全体の再生光を適正に得るための手法としては、例えば信号光エリアを分割した各領域にて生成したＤＣ光を順次照射して各領域の再生光を時分割で検出する手法や、信号光エリア全域にわたるＤＣ光を生成・照射し、それにより得られる再生光と照射光の反射光成分とを偏光を利用して分光して再生光のみを検出する手法とがある。【選択図】図４
2010092566.tif 000002
【特許請求の範囲】
【請求項１】
記録再生装置
照射光の強度分布に応じた屈折率変化が生じることで情報記録が行われるホログラム記録媒体に対して、記録再生のための光を照射する光源と、
上記光源より発せされた光が入射すると共に、入射光に対し画素単位で空間光強度変調を施す空間光変調器と、
上記空間光変調器を介して得られた光を対物レンズを介して上記ホログラム記録媒体に対して照射する光学系と、
上記空間光変調器の各画素を駆動制御する駆動制御部として、記録時には、記録データに応じた光強度パターンが与えられた信号光のみが生成されるように各画素を駆動制御し、再生時には、均一な光強度を有するＤＣ光のみが生成されるように各画素を駆動制御する駆動制御部と
を備える記録再生装置。
【請求項２】
上記駆動制御部は、
上記信号光の１度の照射によって上記ホログラム記録媒体に記録される１ホログラムページの再生につき、記録時に上記信号光を生成した信号光エリア内における第１領域のみを光強度「１」とし且つ上記第１領域以外の領域を光強度「０」とする第１の駆動制御と、上記信号光エリア内における第２領域のみを光強度「１」とし且つ上記第２領域以外の領域を光強度「０」とする第２の駆動制御とを順次行う
請求項１に記載の記録再生装置。
【請求項３】
上記駆動制御部による上記第１の駆動制御と上記第２の駆動制御とが行われることに伴い上記ホログラム記録媒体から順次出力されるそれぞれの光のうちから、照射したＤＣ光の成分を除く再生光の成分のみを抽出する再生光成分抽出部をさらに備える
請求項２に記載の記録再生装置。
【請求項４】
さらに、入射光の光強度を画素単位で検出するイメージセンサを備え、
上記光学系は、
上記駆動制御部の再生時の駆動制御に応じた光照射が行われることに応じて上記ホログラム記録媒体から出力される光を上記イメージセンサに対して導くように構成されており、
上記再生光成分抽出部は、
上記駆動制御部による上記第１の駆動制御と上記第２の駆動制御とが行われることに伴い上記ホログラム記録媒体から順次出力される光が上記イメージセンサで検出されて得られるそれぞれの画像信号中から、上記再生光の成分を抽出する
請求項３に記載の記録再生装置。
【請求項５】
上記駆動制御部は、
再生時において、記録時に上記信号光を生成した信号光エリアの全域を光強度「１」とし且つ上記信号光エリア以外の領域を光強度「０」とするように上記空間光変調器の各画素を駆動制御し、
さらに、上記対物レンズと上記空間光変調器との間に挿入された第１の偏光ビームスプリッタと、
上記第１の偏光ビームスプリッタによる分離光が入射する位置に設置され、入射光の光強度を画素単位で検出するイメージセンサと、
上記対物レンズと上記第１の偏光ビームスプリッタとの間に挿入され、上記第１領域を介した光の光線領域としての第１光線領域の光が入射する領域と、上記第２領域を介した光の光線領域としての第２光線領域の光が入射する領域とで、入射光の偏光方向を直交させるように構成された第１の偏光制御部とを備える
請求項１に記載の記録再生装置。
【請求項６】
さらに、上記第１の偏光ビームスプリッタと上記第１の偏光制御部との間に挿入され、入射光の偏光方向を４５°変化させるように構成された第２の偏光制御部と、
上記第２の偏光制御部と上記第１の偏光制御部との間に挿入され、上記第１の偏光ビームスプリッタの設置角度に対して４５°の設置角度差が与えられて設置された第２の偏光ビームスプリッタとを備える
請求項５に記載の記録再生装置。
【請求項７】
照射光の強度分布に応じた屈折率変化が生じることで情報記録が行われるホログラム記録媒体に対して、記録再生のための光を照射する光源と、上記光源より発せされた光が入射すると共に、入射光に対し画素単位で空間光強度変調を施す空間光変調器と、上記空間光変調器を介して得られた光を対物レンズを介して上記ホログラム記録媒体に対して照射する光学系とを備える記録再生装置における記録再生方法であって、
記録時には、上記空間光変調器により記録データに応じた光強度パターンが与えられた信号光のみを生成して上記ホログラム記録媒体に対する情報記録を行い、再生時には、均一な光強度を有するＤＣ光のみを生成して上記ホログラム記録媒体に記録された情報の再生を行う
記録再生方法。
【請求項８】
照射光の強度分布に応じた屈折率変化が生じることで情報記録が行われるホログラム記録媒体に対して、記録再生のための光を照射する光源と、
上記光源より発せされた光が入射すると共に、入射光に対し画素単位で空間光強度変調を施す空間光変調器と、
上記空間光変調器を介して得られた光を対物レンズを介して上記ホログラム記録媒体に対して照射する光学系と、
記録データに応じた光強度パターンが与えられた信号光のみが生成されるように上記空間光変調器の各画素を駆動制御する駆動制御部と
を備える記録装置。
【請求項９】
照射光の強度分布に応じた屈折率変化が生じることで情報記録が行われるホログラム記録媒体に対して、記録再生のための光を照射する光源と、上記光源より発せされた光が入射すると共に、入射光に対し画素単位で空間光強度変調を施す空間光変調器と、上記空間光変調器を介して得られた光を対物レンズを介して上記ホログラム記録媒体に対して照射する光学系とを備える記録装置における記録方法であって、
上記空間光変調器により記録データに応じた光強度パターンが与えられた信号光のみを生成して上記ホログラム記録媒体に対する情報記録を行う
記録方法。
【請求項１０】
照射光の強度分布に応じた屈折率変化が生じることで情報記録が行われるホログラム記録媒体に対して、記録再生のための光を照射する光源と、
上記光源より発せされた光が入射すると共に、入射光に対し画素単位で空間光強度変調を施す空間光変調器と、
上記空間光変調器を介して得られた光を対物レンズを介して上記ホログラム記録媒体に対して照射する光学系と、
均一な光強度を有するＤＣ光のみが生成されるように上記空間光変調器の各画素を駆動制御する駆動制御部と
を備える再生装置。
【請求項１１】
照射光の強度分布に応じた屈折率変化が生じることで情報記録が行われるホログラム記録媒体に対して、記録再生のための光を照射する光源と、上記光源より発せされた光が入射すると共に、入射光に対し画素単位で空間光強度変調を施す空間光変調器と、上記空間光変調器を介して得られた光を対物レンズを介して上記ホログラム記録媒体に対して照射する光学系とを備える再生装置における再生方法であって、
上記空間光変調器により均一な光強度を有するＤＣ光のみを生成して上記ホログラム記録媒体に記録された情報の再生を行う
再生方法。
【発明の詳細な説明】
【技術分野】
【０００１】
本発明は、ホログラム記録媒体についての記録再生装置とその方法、及び記録装置とその方法、及び再生装置とその方法とに関する。
【背景技術】
【０００２】
【特許文献１】特開２００７−７９４３８号公報
【０００３】
例えば上記特許文献１にあるように、信号光と参照光との照射によってホログラムを形成してデータ記録を行うホログラム記録再生方式が知られている。このホログラム記録再生方式において、記録時には、記録データに応じた光強度パターンを与えた信号光と、この信号光とは別に所定の光強度パターンを与えた参照光とをホログラム記録媒体に対して照射し、それらの干渉縞（ホログラム）を記録媒体に形成することでデータ記録を行う。
また再生時には、記録媒体に対して上記参照光を照射する。このように参照光が照射されることで、上記のようにして形成された干渉縞に応じた回折光が得られる。すなわち、これによって記録データに応じた再生像（再生光）が得られる。このようにして得られた再生像を例えばＣＣＤ（Charge Coupled Device）センサやＣＭＯＳ（Complementary Metal Oxide Semiconductor）センサなどのイメージセンサで検出することで、記録データの再生を行うようにされる。
【０００４】
ここで、このようなホログラム記録再生方式としては、上記信号光と上記参照光とをホログラム記録媒体に対してそれぞれ別角度で照射する二光束方式と、上記信号光と上記参照光とを同一光軸上に配置して照射するコアキシャル方式とが知られている。
【０００５】
図１５、図１６は、コアキシャル方式による記録再生手法について説明するための図として、図１５は記録手法、図１６は再生手法について模式的に示している。
なお、これらの図では、反射膜を備える反射型のホログラム記録媒体１００が用いられる場合を例示している。
【０００６】
先ず、これら図１５、図１６に示されるようにして、ホログラム記録再生方式においては、記録時において信号光と参照光、再生時において参照光を生成するために、ＳＬＭ（空間光変調器）１０１が設けられる。このＳＬＭ１０１としては入射光に対し画素単位で空間光強度変調（単に強度変調とも称する）を施す強度変調器を備える。強度変調器としては、例えば液晶パネルなどで構成することができる。
【０００７】
ここで、コアキシャル方式が採用される場合、ＳＬＭ１０１においては、信号光と参照光とを同一光軸上に配置するために、次の図１７に示すような各エリアが設定される。
この図１７に示されるようにして、ＳＬＭ１０１においては、その中心（レーザ光の光軸と一致）を含む円形の所定範囲のエリアが、信号光エリアＡｓとして設定される。そして、この信号光エリアＡｓの外側には、ギャップエリアＡｇを隔てて、輪状の参照光エリアＡｒが設定されている。
上記ギャップエリアＡｇは、上記参照光エリアＡｒにて生成される参照光が信号光エリアＡｓに漏れ込んで信号光に対するノイズになることを避けるための領域として定められている。
上記のような信号光エリアＡｓ、参照光エリアＡｒの設定により、信号光と参照光とを同一光軸上に配置するようにして照射することができる。
なお確認のために述べておくと、ＳＬＭ１０１の画素形状は矩形状であるため、信号光エリアＡｓは厳密には円形とはならい。同様に参照光エリアＡｒ、ギャップエリアＡｇとしても厳密には輪状にはならい。その意味で信号光エリアＡｓは略円形のエリアとなり、参照光エリアＡｒ、ギャップエリアＡｇもそれぞれ略輪状のエリアとなる。
【０００８】
説明を戻す。
図１５に示す記録時には、ＳＬＭ１０１の強度変調により、信号光エリアＡｓ内にて記録データに応じた強度パターンを与えた信号光と、参照光エリアＡｒ内にて予め定められた所定の強度パターンを与えた参照光とを生成する。なお、ギャップエリアＡｇについては、上述したノイズ防止機能が果たされるべく、その全域で光強度「０」とする強度変調が施される。
【０００９】
ＳＬＭ１０１にて生成された信号光・参照光は、対物レンズ１０２を介してホログラム記録媒体１００に照射される。これによりホログラム記録媒体１００には、上記信号光と上記参照光との照射に応じたホログラムが形成され、データが記録されることになる。
【００１０】
一方、再生時には、図１６（ａ）に示されるようにして、ＳＬＭ１０１にて参照光を生成する。そして、この参照光を対物レンズ１０２を介してホログラム記録媒体１００に照射する。
【００１１】
このように参照光がホログラム記録媒体１００に照射されることに応じては、図１６（ｂ）に示すようにして、ホログラム記録媒体１００に形成されたホログラムに応じた回折光が得られ、これによって記録されたデータについての再生光（再生像）が得られる。この場合、再生光は、ホログラム記録媒体１００からの反射光として、図示するように対物レンズ１００を介してイメージセンサ１０３に対して導かれる。
【００１２】
イメージセンサ１０３は、上記のようにして導かれた再生光を画素単位で受光し、画素ごとに受光光量に応じた電気信号を得ることで、上記再生光についての検出画像を得る。このようにイメージセンサ１０３にて検出された画像信号が、記録されたデータの読み出し信号（再生信号）となる。
【発明の開示】
【発明が解決しようとする課題】
【００１３】
上記のようにして従来、コアキシャル方式と呼ばれる記録再生手法では、記録時において記録データを反映した信号光（具体的には「０」「１」のデータが敷き詰められる）と共に参照光を照射し、再生時には、上記参照光のみを照射して再生光を得るようにされている。
しかしながら、このように信号光のみでなく参照光を共に照射するコアキシャル方式では、限られたレンズ開口の中に上記参照光を照射する領域（参照光エリア）を確保する必要があるため、自ずと信号光エリアＡｓの大きさが制限されてしまう。その結果、一度に記録再生可能なデータ容量の拡大化を図ることが困難となり、記録再生効率の向上が図られないという課題を有していた。
【課題を解決するための手段】
【００１４】
そこで、本発明では以上のような問題点に鑑み、記録再生装置として以下のように構成することとした。
つまり、照射光の強度分布に応じた屈折率変化が生じることで情報記録が行われるホログラム記録媒体に対して、記録再生のための光を照射する光源と、上記光源より発せされた光が入射すると共に、入射光に対し画素単位で空間光強度変調を施す空間光変調器とを備える。
また、上記空間光変調器を介して得られた光を対物レンズを介して上記ホログラム記録媒体に対して照射する光学系を備える。
さらに、上記空間光変調器の各画素を駆動制御する駆動制御部として、記録時には、記録データに応じた光強度パターンが与えられた信号光のみが生成されるように各画素を駆動制御し、再生時には、均一な光強度を有するＤＣ光のみが生成されるように各画素を駆動制御する駆動制御部を備えるようにした。
【００１５】
上記のようにして本発明では、記録時には信号光のみを生成し、該信号光のみを対物レンズを介してホログラム記録媒体に対して照射するものとしている。このように信号光を対物レンズを介してホログラム記録媒体に照射することで、実像面（空間光変調器の面）において上記信号光が有する光強度分布パターンをフーリエ変換した光強度分布パターンが上記対物レンズの集光面（フーリエ変換面：周波数平面）に生成され、これがホログラム記録媒体に屈折率分布として記録されることになる。つまり、この結果、信号光の照射のみでホログラム記録媒体に対する情報記録を行うことができる。
また、再生時には、均一な光強度を有するＤＣ光のみを生成し、これを対物レンズを介してホログラム記録媒体に照射するものとしている。ここで、従来のコアキシャル方式の延長で考えれば、再生時には記録時に照射した光と同じ強度パターンを有する光を照射して、記録された信号光を反映した再生光を得るようにされていた。しかしながら再生装置において、記録された信号光の強度パターンが既知であることは現実的にはあり得ず、この点で従来のコアキシャル方式の延長では、上記のように信号光の照射のみで記録した情報の再生を行うことはできないものとなる。
この点を考慮し、本発明では、上記のように再生時には光強度が均一とされたＤＣ光（ベタ光）を照射するものとしている。このようなＤＣ光は、記録した信号光のどのような強度パターンも包含できる。従ってこのようなＤＣ光の照射により、記録した信号光の再生光を得ることができる。
【発明の効果】
【００１６】
本発明によれば、信号光のみの照射で情報記録を行うと共に、このように信号光のみの照射で記録された情報の再生光を得ることのできるホログラム記録再生システムを実現することができる。
上記のように信号光のみの照射で情報記録を行うことができれば、参照光を別途照射する必要のあった従来のコアキシャル方式と比較して、一度に記録再生可能なデータ容量は格段に向上させることができ、記録再生効率の大幅な向上を図ることができる。
【発明を実施するための最良の形態】
【００１７】
以下、発明を実施するための最良の形態（以下実施の形態とする）について説明していく。
なお、説明は以下の順序で行う。
＜第１の実施の形態＞
[記録再生装置の構成]
[第１の実施の形態としての記録再生手法]
[領域分割の変形例１]
[領域分割の変形例２]
＜第２の実施の形態＞
[記録再生装置の構成]
[第２の実施の形態としての記録再生手法]
＜第３の実施の形態＞
[記録再生装置の構成]
[第３の実施の形態としての記録再生手法]
＜変形例＞
【００１８】
＜第１の実施の形態＞
[記録再生装置の構成]
図１は、本発明の第１の実施の形態としての記録再生装置１の内部構成を示すブロック図である。
図１において、この記録再生装置１には、ホログラム記録媒体ＨＭを着脱可能に保持する媒体保持部（図示せず）が設けられており、該媒体保持部に保持されたホログラム記録媒体ＨＭに対して光照射を行って、情報記録及び記録情報の再生を行う。
【００１９】
上記ホログラム記録媒体ＨＭは、例えばフォトポリマーなどの、照射光の強度分布に応じた屈折率変化が生じる記録材料で構成された記録膜を有し、情報記録担体として機能する。
なお、上記記録膜を構成するホログラムの記録材料としては、従来より用いられているものと同様、照射光の強度分布を屈折率分布（ホログラム）として記録可能なものであればその組成などについて特に限定されるべきものではない。
【００２０】
本実施の形態の場合、ホログラム記録媒体ＨＭの上記記録膜の下層には、例えば金属膜などによる反射膜が形成されている。すなわち、本実施の形態のホログラム記録媒体ＨＭは、いわゆる反射型の記録媒体として構成されたものであり、記録再生装置１は当該反射型のホログラム記録媒体ＨＭに対応して記録再生を行うことができるように構成されている。
【００２１】
記録再生装置１には、上記ホログラム記録媒体ＨＭに対する記録再生光の光源として、図示するレーザダイオード（ＬＤ）２が設けられる。このレーザダイオード１は、例えば外部共振器付きレーザダイオードとされ、波長λ＝４０５nm程度のいわゆる青紫色レーザ光を出力する。
レーザダイオード２から出射されたレーザ光は、コリメータレンズ３を介した後、図のようにミラー４→ミラー５を介してＳＬＭ（空間光変調器）６に導かれる。
【００２２】
ＳＬＭ６は、入射光に対する空間光変調として、空間光強度変調（光強度変調、或いは単に強度変調とも言う）を施す。この場合、ＳＬＭ６としては反射型とされ、例えばＤＭＤ（Digital Micromirror Device：登録商標）や反射型液晶パネルなどの空間光変調器が採用される。
このＳＬＭ６は、図示する変調制御部１６から供給される駆動信号に基づき各強度変調素子で光強度を変化させることで、入射光に対し画素単位で強度変調を施す。
【００２３】
ここで、記録再生装置１では、上記変調制御部１６がＳＬＭ６を駆動制御することで、記録時には、記録データに応じた強度パターンを有する光を記録時照射光として生成させ、再生時には、記録情報を再生するための強度パターンが与えられた光を再生時照射光として生成させる。
なお、これら記録時照射光と再生時照射光の具体的な強度パターンについては、説明の便宜上、後述するものとする。
【００２４】
上記ＳＬＭ６にて空間光変調が施された光は、リレーレンズ７→リレーレンズ８によるリレーレンズ系を介した後、偏光ビームスプリッタ９に入射する。本例の場合、偏光ビームスプリッタ９はｐ偏光を透過、ｓ偏光を反射するように構成される。従って上記リレーレンズ系を介したレーザ光は、ｐ偏光成分のみが偏光ビームスプリッタ９を透過する。
【００２５】
偏光ビームスプリッタ９を透過したレーザ光は、１／４波長板１０を介することで所定回転方向の円偏光（例えば左回り円偏光）に変換された後、対物レンズ１１を介してホログラム記録媒体ＨＭの記録面（上述した反射膜の表面）上に集光するようにして照射される。
【００２６】
ここで、上記により説明した光路によると、ＳＬＭ６にて空間光変調が施されたレーザ光は、対物レンズ１１を介してホログラム記録媒体ＨＭに対して照射されることになるが、上述のように記録時には、ＳＬＭ６の空間光変調により記録時照射光が生成される。従って記録時においてホログラム記録媒体ＨＭには、上記記録時照射光が照射され、後述もするようにホログラム記録媒体ＨＭの記録膜には記録データに応じた屈折率分布（ホログラム）が形成され、データの記録が行われる。
【００２７】
また、再生時には、ＳＬＭ６によって再生時照射光が生成され、該再生時照射光が上記により説明した光路によりホログラム記録媒体ＨＭに対して照射されることで、上記記録膜に形成されたホログラムに応じた回折光（再生光）が得られる。このようにして得られた再生光は、上記記録膜の下層に形成された反射膜からの反射光として装置側に戻されることになる。
なお、確認のために述べておくと、再生時には、ホログラム記録媒体ＨＭからの反射光として、上記再生光のみでなく上記再生時照射光の反射光も得られることになる。
【００２８】
上記ホログラム記録媒体ＨＭからの反射光は、対物レンズ１１→１／４波長板１０を介した後、偏光ビームスプリッタ９に入射する。
ここで、このように偏光ビームスプリッタ９に入射する上記反射光は、上記１／４波長板１０の働きによりｓ偏光に変換される（この場合は、往路：ｐ偏光→左回り円偏光への変換、復路：右回り円偏光→ｓ偏光への変換）。従って偏光ビームスプリッタ９は、上記のように対物レンズ１１→１／４波長板１０を介して入射された上記反射光を反射するようにされる。
【００２９】
偏光ビームスプリッタ９による反射光は、図示するようにしてリレーレンズ１２→ミラー１３→リレーレンズ１４によるリレーレンズ系を介して、イメージセンサ１５に対して導かれる。
【００３０】
イメージセンサ１５は、例えばＣＣＤ（Charge Coupled Device）センサやＣＭＯＳ（Complementary Metal Oxide Semiconductor）センサなどとされ、上記のようにして入射したホログラム記録媒体ＨＭからの反射光を画素単位で受光し、これを電気信号に変換して画像信号を得る。
【００３１】
データ再生部１７は、上記イメージセンサ１５により検出された画像信号を入力し、記録データの再生を行う。
ここで、上記のように再生時にイメージセンサ１５に導かれる反射光には、記録したデータを反映した再生光の成分が含まれる。後述するように、この場合のデータ再生部１７は、上記イメージセンサ１５にて検出された画像信号中に含まれる再生光成分を抽出した結果に基づき、記録データの再生を行うように構成される。
【００３２】
[第１の実施の形態としての記録再生手法]
ここで、先にも述べたように、従来のコアキシャル方式によるホログラム記録再生システムでは、記録時には記録データに応じた強度パターンを与えた信号光と共に、所定の強度パターンを与えた参照光とを生成し、これらを同一光軸上に配置した状態で対物レンズを介してホログラム記録媒体ＨＭに照射することで、データ記録を行うものとされていた。そして再生時には、上記参照光（記録時と同じ強度パターンを有する）を対物レンズを介してホログラム記録媒体ＨＭに照射することで、記録したデータについての再生光を得るようにされていた。
【００３３】
このような従来のコアキシャル方式の原理は、ホログラフィーの原理である二光束干渉の原理で説明がつき、信号光と参照光の二光束をひとつのレンズ系により集光することで、これら信号光と参照光との干渉縞を形成させているとみなすことができる。
但し、このような二光束干渉の原理は、コアキシャル方式による記録原理の一側面を説明しているものに過ぎず、厳密には、その物理現象を完全に説明するものとはならない。
【００３４】
ここで、通常、レンズによる集光作用は、フーリエ変換作用とみなされる。
この点について、次の図２を参照して説明する。
この図２に示すように、実像面（図１ではＳＬＭ６の実像面）をｕｖ平面とおき、当該ｕｖ平面上における任意点の座標をＵｌ(ｕ，ｖ)とおく。また、対物レンズによる集光面（フーリエ変換面：周波数平面）をｘｙ平面とし、当該ｘｙ平面上における任意点の座標をＵｆ(ｘ、ｙ)とおく。
また、図のように対物レンズの焦点距離はｆとおく。また、実像面から上記対物レンズのレンズ主平面までの距離をｂとおく。
【００３５】
このとき、上記対物レンズによる集光作用は、厳密には次の［式１］により表されるものとなる。
【数１】
2010092566.tif 000003
但し[式１]において、λは記録再生光の波長を表す。
【００３６】
上記[式１]において、仮にｂ＝ｆとすれば、左辺の位相項が消失して完全なフーリエ変換の関係となることが分かる。このことからも、レンズによる集光作用は、フーリエ変換作用とみなすことができるという点が理解できる。
【００３７】
このようなレンズによる集光作用を踏まえると、記録データに応じた強度パターンを与えた信号光のみを実像面上に置けば、それをフーリエ変換した光強度パターンが集光面上に生成されて、当該集光面上における光強度パターンに応じた強度分布がホログラム記録媒体ＨＭに屈折率分布として記録されるということが理解できる。
つまり、このことによれば、先の図１で説明した記録再生装置１のように、実像面にて所要の強度パターンを与えた光を対物レンズを介してホログラム記録媒体に集光するようにして照射する構成が採られる場合には、信号光のみを生成・照射することで、上記強度パターンに応じた情報記録ができるということになる。
【００３８】
ここで、以上の点を踏まえて、従来のコアキシャル方式による記録原理、再生原理について再考察してみる。
図３は、従来のコアキシャル方式による記録再生原理を再考察するための図として、図３（ａ）は記録時、図３（ｂ）（ｃ）はそれぞれ再生時について示している。
図３（ａ）では対物レンズ１１とホログラム記録媒体ＨＭのみを抽出して示すと共に、記録時に照射される信号光と参照光が上記対物レンズ１１を介してホログラム記録媒体ＨＭに照射される際の光線状態を併せて示している。
また図３（ｂ）（ｃ）の各図では、対物レンズ１１とホログラム記録媒体ＨＭとを抽出して示すと共に、上記対物レンズ１１を介してホログラム記録媒体ＨＭに対して照射される再生時照射光の光線状態と、当該再生時照射光の照射に応じてホログラム記録媒体ＨＭから得られる反射光の光線状態とを併せて示している。
なお、これら図３（ｂ）（ｃ）では再生時照射光とホログラム記録媒体ＨＭからの反射光との区別が容易となるように、上記反射光の光線状態（対物レンズ１１も含む）についてはフーリエ変換面を境に反対側に折り返して示している。
確認のために述べておくと、これら図３（ｂ）（ｃ）に示す再生時の光線状態は、透過型のホログラム記録媒体についての再生を行ったときの光線状態と同様となるものである。
【００３９】
先ず、従来のコアキシャル方式によれば、記録時には、図３（ａ）に示すように信号光と共に参照光を対物レンズ１１を介してホログラム記録媒体ＨＭに照射することになる。
このとき、上記したフーリエ変換作用に基づく記録原理に基づけば、このような記録時の光照射が行われることに応じては、ホログラム記録媒体ＨＭに対し信号光が記録されると共に、参照光も記録されることになる。
【００４０】
一方、再生時において、従来のコアキシャル方式では、図３（ｂ）のように参照光のみが対物レンズ１１を介してホログラム記録媒体ＨＭに照射されることになる。このとき、再生時の参照光は記録時と同じ強度パターンが与えられたものを照射することになる。
このように記録時と同じパターンの参照光が照射されることに応じて、記録された信号光についての再生光が得られる。記録された信号光についての再生光は、図のように信号光の光線領域に得られる。このように信号光についての再生光が得られる点については、二光束干渉の原理によっても説明されるところである。
【００４１】
但し、ここで注意すべきは、上記フーリエ変換作用に基づく記録原理によれば、記録時には信号光だけでなく、参照光も記録されるということである。この点より、上記のように再生時照射光として参照光を照射することに応じては、信号光についての再生光のみでなく、記録された参照光についての再生光も得られることになる。このような記録された参照光についての再生光は、図からも分かるように参照光の光線領域に得られる。
【００４２】
なお、従来のコアキシャル方式では、上記のような参照光についての再生光は、照射した参照光と一体のものとしてその存在が無視されていた。つまり、上記のように再生される参照光は、上記再生時照射光として照射した参照光と比較して、光強度が非常に弱い成分となる（ホログラムの回折効率は0.1％〜１％程度であるため）。そして上述もしたように、再生された参照光は、ホログラム記録媒体ＨＭからの反射光としての参照光（回折に寄与しなかった参照光：照射した参照光自体の反射光）と同じ光線領域に重なるようにして得られる。このため、参照光の光線領域において、これら再生された参照光と反射光としての参照光は区別することはできず、実質上、再生時の参照光光線領域に得られる成分は上記反射光としての参照光成分のみであるとして扱われていたものである。
【００４３】
上記のようにして、記録時に信号光と参照光とを照射し再生時には記録時と同じ強度パターンを有する参照光を照射するという従来のコアキシャル方式の記録再生手法を採る場合には、厳密には、記録した信号光についての再生光のみでなく、参照光についての再生光も得られる。
このような記録再生原理に基づけば、再生時には、記録時と同じ強度パターンを有する信号光を照射することによっても、再生光が得られるということに気づく。具体的に、図３（ｃ）に示すようにして再生時照射光として信号光を対物レンズ１１を介してホログラム記録媒体ＨＭに照射するものとすれば、記録された参照光についての再生光を得ることができる。この場合は、記録された信号光についての再生光も同時に得られることになる。
図のように参照光についての再生光は、参照光の光線領域に得られる。また、信号光についての再生光は信号光の光線領域に得られ、照射した信号光（回折に寄与しなかった信号光）と重なるようにして得られることになる。
【００４４】
ここで、図３にて説明した記録再生原理によれば、信号光と参照光との境界を無くし、これらを一体とした光を照射して記録を行った場合にも、図３（ｂ）（ｃ）のように参照光と信号光とを順次照射することによって、信号光についての再生光、参照光についての再生光を順次得ることができる。
つまりこのことによれば、例えば図４（ａ）に示されるようにして、参照光の領域までを一体とした領域全体に記録信号を敷き詰め、それを１つの信号光として照射して記録を行った場合（つまりレンズ開口全体を信号光領域として使用して記録した場合）にも、例えば先の図３（ｂ）（ｃ）に示したような分割再生を行うことで、記録した信号光全体を再生できるということになる。
【００４５】
但し、従来のコアキシャル方式によると、再生時に照射する再生時照射光（この場合は参照光と信号光）は、記録時と同じ強度パターンを有するものを照射しなければならい。しかしながら、信号光は、記録すべきデータに応じて逐次変化するものとなるので、参照光のような固定の強度パターンとすることはできない。現実の再生装置では、記録された信号が既知であることはあり得ないので、上記のように信号光の照射のみで記録した信号は、従来のコアキシャル方式の再生手法によっては、現実的に再生することができないものとなってしまう。
【００４６】
そこで、本実施の形態では、再生時照射光として、均一な光強度を有するＤＣ光（ベタパターン光）を照射する。ここで、ＤＣ光は、どのような信号光の強度パターンも包含できるものである。従ってＤＣ光を再生時照射光として照射すれば、全ての信号光パターンに対応してその再生光を得ることができる。
【００４７】
具体的に、このようなＤＣ光を用いた本実施の形態の再生手法について、次の図４（ｂ）（ｃ）を参照して説明する。なお、これらの図においても先の図３（ｂ）（ｃ）と同様に、ホログラム記録媒体ＨＭからの反射光の光線状態（対物レンズ１１も含む）についてはフーリエ変換面（レンズ集光面）を境に反対側に折り返して示している。
【００４８】
先ず、本例の再生を行うにあたっては、信号光エリアを第１領域と第２領域とに分割しておくことになる。例えば、上記第１領域は参照光エリアのような外側の輪状領域とし、上記第２領域は上記第１領域を除く内側の円形領域であるとする。
そして、再生時には、例えば図４（ｂ）に示す１回目照射光として、第１領域の全域を光強度「１」で均一となるようにしたＤＣ光を生成・照射して、第２領域の光線領域に第１の再生光（記録された第２領域の信号光についての再生光）を得る。図示するように、このとき第１領域の光線領域内には、照射したＤＣ光の反射光（回折に寄与しなかった光）が得られる。また図示は省略したが、当該第１領域の光線領域内には、記録された第１領域の信号光についての再生光も得られることになる。
【００４９】
このような１回目の再生時照射光の照射後、図４（ｃ）に示す２回目照射光として、第２領域の全体を光強度「１」で均一となるようにしたＤＣ光を生成・照射して、第１領域の光線領域に第２の再生光（記録された第１領域の信号光についての再生光）を得る。このとき、第２領域の光線領域内には、照射したＤＣ光の反射光（回折に寄与しなかった光）と、記録された第２領域の信号光についての再生光も得られることになる。
【００５０】
このようにして、本例の再生手法によれば、記録した信号光の各領域の再生光を時分割で得ることができ、結果、記録した信号光全体の再生光を得ることができる。
【００５１】
ここで、上記により説明した第１の実施の形態としての記録再生手法を実現するための構成について説明する。
先ず、本実施の形態の記録再生手法では、信号光のみを照射して記録を行うことになる。このことに応じ、図１に示した記録再生装置１では、ＳＬＭ６に設定されるエリアが、次の図５に示されるようにして信号光エリアＡｓのみとされる。
また、上述のように再生時には、当該信号光エリアＡｓを分割して形成した第１領域・第２領域ごとに、ＤＣ光を生成することになる。これに応じ、ＳＬＭ６には、上記信号光エリアＡｓ内の外側の輪状の領域が第１領域Ａ１として設定され、当該第１領域Ａ１を除く内側の円形の領域が第２領域Ａ２として設定される。
【００５２】
本実施の形態の記録再生装置１では、図１に示した変調制御部１６が以下で説明するようにＳＬＭ６の駆動制御を行うことで、上記により説明した記録再生手法を実現させる。
先ず、記録時において変調制御部１６は、ＳＬＭ６における信号光エリアＡｓ内の各画素のオン／オフパターンを、供給される記録データに応じて設定する。また、ＳＬＭ６における上記信号光エリアＡｓ以外の領域の各画素には全てオフを割り振る、このようにＳＬＭ６の画素単位で割り振ったオン／オフパターンに基づき、ＳＬＭ６の各画素ごとの駆動信号を生成し、これをＳＬＭ６に供給する。この駆動信号に基づきＳＬＭ６が入射光に対する強度変調を行うことで、ＳＬＭ６からは、記録データに応じた強度パターンを有する信号光のみが出射されるものとなり、当該信号光のみが対物レンズ１１を介してホログラム記録媒体ＨＭに照射される。
この信号光の照射により、ホログラム記録媒体ＨＭの記録膜には、上記記録データに応じた強度分布が屈折率分布（ホログラム）として記録される。
【００５３】
ここで、このような記録手法により、ホログラム記録媒体ＨＭには信号光の単位で情報記録が行われる。このことによると、信号光内に敷き詰めることのできるデータの単位が、記録再生の最小単位となる。このように１度の信号光の照射で記録されるデータ単位を、ホログラムページ単位と称し、また信号光の照射で形成されたホログラムを、ホログラムページと称する。
【００５４】
また、再生時には、上記変調制御部１６が、ホログラム記録媒体ＨＭに記録された１ホログラムページの再生につき、以下のような駆動制御を行う。
つまり、先の図４（ｂ）にて説明した１回目照射光を得るための駆動制御として、ＳＬＭ６の第１領域Ａ１内の全画素をオンとし、それ以外の領域の全画素をオフとする駆動信号を生成し、該駆動信号をＳＬＭ６に供給する。この駆動信号に応じＳＬＭ６が入射光に対する強度変調を行うことで、第１領域Ａ１の全域が光強度「１」で均一となるようにされたＤＣ光が生成され、該ＤＣ光が対物レンズ１１を介してホログラム記録媒体ＨＭに照射される。
また、変調制御部１６は、上記１回目照射光の生成のための駆動制御を行った後に、図４（ｃ）で説明した２回目照射光を得るための駆動制御として、第２領域Ａ２内の全画素をオンとし、それ以外の領域の全画素をオフとする駆動信号を生成し、該駆動信号をＳＬＭ６に供給する動作を行う。これにより、第２領域Ａ２の全域が光強度「１」で均一となるようにされたＤＣ光が生成され、該ＤＣ光が対物レンズ１１を介してホログラム記録媒体ＨＭに対して照射される。
【００５５】
上記１回目のＤＣ光（第１領域Ａ１にて生成されたＤＣ光）が照射されることに応じては、ホログラム記録媒体ＨＭからは、記録された第２領域Ａ２の信号光についての再生光と、照射したＤＣ光自体の反射光とが出力され、これら第２領域Ａ２の信号光についての再生光と照射したＤＣ光の反射光とは、先の図１にて説明した再生時の光路（対物レンズ１１→１／４波長板１０→偏光ビームスプリッタ９→リレーレンズ１２→ミラー１３→リレーレンズ１４）を介してイメージセンサ１５に導かれる。
また、２回目のＤＣ光（第２領域Ａ２にて生成されたＤＣ光）が照射されることに応じては、ホログラム記録媒体ＨＭからは、記録された第１領域Ａ１の信号光についての再生光と、照射したＤＣ光自体の反射光とが出力され、これら第１領域Ａ１の信号光についての再生光と照射したＤＣ光の反射光としても、上記による光路を介してイメージセンサ１５に導かれる。
このことに応じ、イメージセンサ１５では、１ホログラムページの再生につき、[第２領域Ａ２の信号光についての再生光・照射した１回目ＤＣ光の反射光]についての検出画像と、[第１領域Ａ１の信号光についての再生光・照射した２回目ＤＣ光の反射光]についての検出画像とが順次得られることになる。
【００５６】
図１に示したデータ再生部１７は、このように１ホログラムページの再生につきイメージセンサ１５で順次得られる、[第２領域Ａ２の信号光についての再生光・照射した１回目ＤＣ光の反射光]の検出画像と、[第１領域Ａ１の信号光についての再生光・照射した２回目ＤＣ光の反射光]の検出画像とに基づき、記録データの再生を行う。
【００５７】
これら検出画像についてデータ再生部１７が行う基本的な処理としては、１回目のＤＣ光の照射に応じて検出された[第２領域Ａ２の信号光についての再生光・照射した１回目ＤＣ光の反射光]についての検出画像中から、第２領域Ａ２の画像信号を抽出・保持する処理と、２回目のＤＣ光の照射に応じて検出された[第１領域Ａ１の信号光についての再生光・照射した２回目ＤＣ光の反射光]についての検出画像中から、第１領域Ａ１の画像信号を抽出・保持する処理とを行う。
このような抽出・保持処理を行うことで、信号光エリアＡｓ全体の再生画像を得ることができる。このように信号光エリアＡｓ全体の再生画像が得られれば、その後の再生信号処理は、従来と同様の処理を行えばよい。これにより、記録した１ホログラムページ分のデータを再生することができる。
【００５８】
以上で説明したようにして第１の実施の形態の記録再生装置１によれば、記録時には信号光のみを生成するようにしたことで、信号光のみの照射でホログラム記録媒体ＨＭへのデータ記録を行うことができる。
また、本実施の形態では、記録時に上記信号光を生成した信号光エリアＡｓを分割して第１領域Ａ１、第２領域Ａ２を設定するものとし、再生時には、これら各領域ごとに生成したＤＣ光を順次照射して、記録した信号光についての再生光を時分割的に得るようにしたことで、記録した信号光全体の再生光を得ることができる。
【００５９】
このようにして第１の実施の形態の記録再生装置１によれば、例えばレンズ開口全体を記録すべき情報で埋めて記録を行うなど、１度により多くの情報を記録できると共に、記録した情報を適正に再生できる記録再生手法を実現することができる。
この結果、本実施の形態によれば、従来のコアキシャル方式による記録再生手法を採る場合と比較して１度に記録再生できるデータ容量を大幅に拡大することができる。
また、このことで、記録再生速度（データ転送速度）の向上、換言すれば記録再生効率の向上が図られる。
【００６０】
[領域分割の変形例１]
ここで、上記により説明したようにして、信号光の照射のみで記録した情報の再生を、ＤＣ光の複数回の照射で時分割的に行う第１の実施の形態の手法を採る場合において、各ＤＣ光の生成領域となる第１領域Ａ１・第２領域Ａ２の形状は、先の図５に示したものに限定はされない。
【００６１】
例えば変形例１として、第１領域Ａ１、第２領域Ａ２の形状は次の図６に示されるようにして設定することもできる。
なおこの図６も先の図５と同様に、ＳＬＭ６に設定される信号光エリアＡｓと該信号光エリアＡｓ内における第１領域Ａ１・第２領域Ａ２とを示している。
この図６に示されるようにして、変形例１は、第１領域Ａ１、第２領域Ａ２を、円形による信号光エリアＡｓを上下に均等に分割して設定するものである。この場合、図のように信号光エリアＡｓの上半分の領域を第１領域Ａ１、下半分の領域を第２領域Ａ２とする。
【００６２】
図７（ａ）（ｂ）は、変形例１としての領域分割を行った場合における再生手法について説明するための図として、先の図３や図４の（ｂ）図、（ｃ）図と同様に、図１に示した対物レンズ１１、ホログラム記録媒体ＨＭとこれらを通過する光の光線状態とを示している。これら図７（ａ）（ｂ）においても、図示の都合上、ホログラム記録媒体ＨＭからの反射光の光線状態（対物レンズ１１も含む）についてはフーリエ変換面（レンズ集光面）を境に反対側に折り返して示している。
なお、記録手法についてはこの場合も同様となるので改めての説明は省略する。
【００６３】
この場合も、図７（ａ）に示す時分割再生１回目には、再生時１回目照射光として、第１領域Ａ１にて生成したＤＣ光を照射する。但し、この場合の領域分割によると、図のように再生光としては、記録された第１領域Ａ１の信号光についての再生光が得られることになる。この再生光は、第１領域Ａ１の光線領域に得られる。
また、この場合、照射した第１領域Ａ１のＤＣ光自体の反射光は、図のように第２領域Ａ２に得られることになる。
【００６４】
また、図７（ｂ）に示す時分割再生２回目には、再生時２回目照射光として、第２領域Ａ２にて生成したＤＣ光を照射するが、この場合、当該第２領域Ａ２にて生成したＤＣ光の照射に応じては、記録された第２領域Ａ２の信号光についての再生光が第２領域Ａ２の光線領域に得られることになる。
また、第２領域Ａ２にて生成したＤＣ光自体の反射光は、第１領域Ａ１の光線領域に得られることになる。
【００６５】
このように、当該変形例１の領域分割を行った場合、先の図５で説明した領域分割を行う場合とは異なり、ＤＣ光の照射に応じては、該ＤＣ光を生成した領域側の再生光が得られ、また照射したＤＣ光の反射光はそれを生成した領域とは逆側の領域の光線領域に得られる。
このことに対応して、当該変形例１の場合のデータ再生部１７は、第１領域Ａ１にて生成した１回目ＤＣ光の照射に応じてイメージセンサ１５にて得られた検出画像から、第１領域Ａ１の画像信号を抽出・保持する処理を行い、また第２領域Ａ２にて生成した２回目ＤＣ光の照射に応じてイメージセンサ１５にて得られた検出画像から、第２領域Ａ２の画像信号を抽出・保持する処理を行う。
これにより、変形例１の領域分割を行う場合に対応して、信号光エリアＡｓ全体の再生画像を抽出することができる。
【００６６】
[領域分割の変形例２]
また、領域分割は、次の図８に示される変形例２として、それぞれが信号光エリアＡｓの中心を通る２本の交線によって信号光エリアＡｓを４等分し、それにより形成される４つの扇状領域のうち左上の領域と右下の領域とを併せた領域を第１領域Ａ１とし、残る右上の領域と左下の領域とを併せた領域を第２領域Ａ２として設定することもできる。
【００６７】
図９（ａ）（ｂ）は、上記のような変形例２としての領域分割を行った場合における再生手法について説明するための図であり、先の図３や図４の（ｂ）図、（ｃ）図と同様に、図１に示した対物レンズ１１、ホログラム記録媒体ＨＭとこれらを通過する光の光線状態とを示している。これら図９（ａ）（ｂ）においても、図示の都合上、ホログラム記録媒体ＨＭからの反射光の光線状態（対物レンズ１１も含む）についてはフーリエ変換面（レンズ集光面）を境に反対側に折り返して示している。
【００６８】
この場合も、図９（ａ）に示す時分割再生１回目には、再生時１回目照射光として、第１領域Ａ１にて生成したＤＣ光を照射する。図示されているように、この場合、当該第１領域Ａ１のＤＣ光の照射に応じては、先の図５に示した領域分割を行う場合と同様に、記録された第２領域Ａ２の信号光についての再生光が第２領域Ａ２の光線領域に得られる。また、照射したＤＣ光自体の反射光としても、図５の領域分割を行う場合と同様に、第１領域Ａ１の光線領域に得られることになる。
【００６９】
また、図９（ｂ）に示す時分割再生２回目には、第２領域Ａ２にて生成したＤＣ光を照射する。図５の領域分割を行う場合と同様に、当該第２領域Ａ２にて生成したＤＣ光の照射に応じては、記録された第１領域Ａ１の信号光についての再生光が第１領域Ａ１の光線領域に得られ、また照射した第２領域Ａ２のＤＣ光自体の反射光は第２領域Ａ２の光線領域に得られる。
【００７０】
この場合、データ再生部１７による抽出処理は、先の図５の領域分割を行う場合と同様に、１回目：第２領域Ａ２の画像信号を抽出、２回目：第１領域Ａ１の画像信号を抽出、とすればよいことは明らかである。
【００７１】
＜第２の実施の形態＞
[記録再生装置の構成]
図１０は、第２の実施の形態の記録再生装置２０の内部構成を示したブロック図である。
なお図１０において、既にこれまでで説明済みとなった部分については同一符号を付して説明を省略する。
第２の実施の形態は、信号光の照射のみで記録した信号を、第１の実施の形態の場合のように時分割再生するのではなく、偏光を利用して１度に再生する手法を採用したものである。
この手法を実現すべく、第２の実施の形態の記録再生装置２０には、図のように偏光ビームスプリッタ９と１／４波長板１０との間に、偏光制御素子２１が挿入されたものとなっている。
【００７２】
この場合、上記偏光制御素子２１としては、いわゆる旋光子（ローテータ）を用いる。周知のように旋光子は、通過した光の偏光面（偏光方向）を任意角度だけ回転させる作用（旋光性）を有し、例えばファラデー効果を利用したファラデー回転素子や、人工水晶による旋光子などが知られている。
このような旋光子は、波長板のような光学基準軸が存在せず、直線偏光を面内のどの方向に向けて入射しても、その偏光面を所定角度だけ回転させることができるという特徴を有する。
【００７３】
具体的に、この場合の偏光制御素子２１は、先の図５に示したＳＬＭ６と同様に、輪状の第１領域Ａ１と、その内側における円形形状による第２領域Ａ２とが設定されている。
その上で、この場合の偏光制御素子２１は、上記第１領域Ａ１が、入射する直線偏光の偏光方向を−４５°変化させる旋光子で構成され、上記第２領域Ａ２が、入射する直線偏光の偏光方向を４５°変化させる旋光子で構成されている（図１１（ａ）を参照）。
そして、偏光制御素子２１は、上述した偏光ビームスプリッタ９と１／４波長板１０との間における、ＳＬＭ６の実像面（像平面：リレーレンズ７,８によって形成される）となる位置又はその近傍に位置するように配置され、且つ、ＳＬＭ６の第１領域Ａ１を介した光（第１領域Ａ１の光線領域の光）の全体が偏光制御素子２１の第１領域Ａ１内に入射し、ＳＬＭ６の第２領域Ａ２を介した光（第２領域Ａ２の光線領域の光）の全体が偏光制御素子２１の第２領域Ａ２に入射するようにその面内方向における位置決めが為されている。
このような偏光制御素子２１により、上記第１領域Ａ１の光線領域の光の偏光方向と、上記第２領域Ａ２の光線領域の光の偏光方向とに９０°の角度差を与えることができるようになっている。
【００７４】
また、図１０に示す記録再生装置２０には、変調制御部１６に代えて変調制御部２２が、またデータ再生部１７に代えてデータ再生部２３が設けられる。
なお、これら変調制御部２２、データ再生部２３が行う動作については後述する。
【００７５】
なお確認のために述べておくと、記録手法については先の第１の実施の形態の場合と同様となるので改めての説明は省略する。
【００７６】
[第２の実施の形態としての記録再生手法]
図１１は、第２の実施の形態としての再生手法について説明するための図である。図１１（ａ）は、図１０に示した偏光ビームスプリッタ９、偏光制御素子２１、１／４波長板１０、及びホログラム記録媒体ＨＭのみを抽出して示している。
図１１（ｂ）は、第２領域Ａ２の光線領域の光（ＤＣ光）が上記各素子を通過した際の偏光状態の遷移、及び当該第２領域Ａ２のＤＣ光の照射に応じてホログラム記録媒体ＨＭから出力される再生光の偏光状態の遷移を示している。
また図１１（ｃ）は、第１領域Ａ１の光線領域の光（ＤＣ光）が上記各素子を通過した際の偏光状態の遷移、及び当該第１領域Ａ１のＤＣ光の照射に応じてホログラム記録媒体ＨＭから出力される再生光の偏光状態の遷移を示している。
なお、偏光状態について、直線偏光については両矢印、円偏光についてはその回転方向を表す矢印で表記している。
直線偏光については、両矢印の方向で偏光方向を表している。偏光ビームスプリッタ９が透過するｐ偏光は縦方向の両矢印で、ｓ偏光は横方向の両矢印で表記している。また右回りの円偏光は実線矢印、左回りの円偏光は破線矢印で表記している。
【００７７】
先ず、この場合の再生時には、図１１（ａ）の再生時照射光として示すように、第１領域Ａ１と第２領域Ａ２とを併せた領域、すなわち信号光エリアＡｓ全体にわたるＤＣ光を生成・照射することになる。すなわち、この場合の再生時には、１ホログラムページの再生につき、このように信号光エリアＡｓ全体にて生成したＤＣ光のみを照射するものである。
先の図１の説明によれば、このように生成されたＤＣ光は、偏光ビームスプリッタ９にｐ偏光で入射し、当該偏光ビームスプリッタ９を透過することになる。
【００７８】
ここで、図１１においては、同時照射されることになる第１領域Ａ１のＤＣ光と第２領域Ａ２のＤＣ光の偏光状態、及びこれらのＤＣ光の照射に応じて同時に得られるそれぞれの再生光の偏光状態の区別を容易とすべく、第２領域Ａ２のＤＣ光とその照射に応じて得られる再生光の偏光状態（図１１（ｂ））と、第１領域Ａ１のＤＣ光とその照射に応じて得られる再生光の偏光状態（図１１（ｃ））とを別々に示している。
【００７９】
先ず、第２領域Ａ２のＤＣ光について示す図１１（ｂ）側から説明すると、ｐ偏光による第２領域Ａ２のＤＣ光は、偏光ビームスプリッタ９を透過した後、偏光制御素子２１を通過することで、偏光方向が４５°だけ回転される（図中の右斜め方向の両矢印）。そして、このように偏光方向が４５°傾いた第２領域Ａ２のＤＣ光は、１／４波長板１０を通過することで左回りの円偏光に変換され、図示は省略した対物レンズ１１を介してホログラム記録媒体ＨＭに照射される。
なお確認のために述べておくと、この場合の１／４波長板１０の設置角度は、先の図１に示した記録再生装置１の１／４波長板１０の設置角度に対し４５°だけずれたものとなる。
【００８０】
上記のように第２領域Ａ２のＤＣ光が照射されることに応じ、第１領域Ａ１の再生光が得られる。この再生光は、ホログラム記録媒体ＨＭの反射膜にて反射され、装置側に第１領域Ａ１の光線領域の光として戻される。また、照射したＤＣ光も上記反射膜にて反射され、該反射光は第２領域Ａ２の光線領域の光として装置側に戻される。
【００８１】
このとき、上記反射膜による反射の作用により、照射したＤＣ光の反射光と上記再生光の円偏光回転方向は、左回りから右回りに変換される。
このように右回り円偏光に変換された上記ＤＣ光の反射光と上記再生光は、１／４波長板１０を通過することで、偏光方向が−４５°傾いた直線偏光（図中の左斜め方向の両矢印）に変換される。そして、このように１／４波長板１０を通過した上記ＤＣ光の反射光と上記再生光が偏光制御素子２１を通過すると、第２領域Ａ２の光線領域に得られる上記ＤＣ光の反射光は、その偏光方向が４５°回転されることで、図のようにｐ偏光に変換される。また、第１領域Ａ１の光線領域に得られる上記再生光は、その偏光方向が−４５°回転されることで、図のようにｓ偏光に変換される。
このことで、上記第２領域Ａ２のＤＣ光の照射に応じて得られた再生光（ｓ偏光）は、イメージセンサ１５にて反射され、イメージセンサ１５側に導かれることになる。
また、第２領域Ａ２のＤＣ光自体の反射光（ｐ偏光）は、偏光ビームスプリッタ９を透過し、イメージセンサ１５側には導かれないようになる。
【００８２】
また、図１１（ｃ）において、第１領域Ａ１のＤＣ光としても、ｐ偏光で偏光ビームスプリッタ９に入射するので、当該偏光ビームスプリッタ９を透過して偏光制御素子２１に入射する。このように偏光制御素子２１に入射した第１領域Ａ１のＤＣ光は、その偏光方向が−４５°だけ回転される（図中の左斜め方向の両矢印）。そして、このように偏光方向が−４５°傾いた第１領域Ａ１のＤＣ光は、１／４波長板１０を通過することで右回りの円偏光に変換され、これが対物レンズ１１を介してホログラム記録媒体ＨＭに照射される。
【００８３】
第１領域Ａ１のＤＣ光の照射に応じては、ホログラム記録媒体ＨＭから、第２領域Ａ２の再生光が得られる。この再生光は、ホログラム記録媒体ＨＭの反射膜にて反射され、装置側に第２領域Ａ２の光線領域の光として戻される。また、照射したＤＣ光も上記反射膜にて反射され、該反射光は第１領域Ａ１の光線領域の光として装置側に戻される。
この場合も上記反射膜による反射の作用により、円偏光の回転方向は逆方向に変換される。つまりこの場合、照射した第１領域Ａ１のＤＣ光自体の反射光と上記再生光の円偏光回転方向は、左回りとなる。
【００８４】
このように左回り円偏光に変換された上記ＤＣ光の反射光と上記再生光は、１／４波長板１０を通過することで、偏光方向が４５°傾いた直線偏光（図中の右斜め方向の両矢印）に変換される。そして、このように１／４波長板１０を通過した上記ＤＣ光の反射光と上記再生光が偏光制御素子２１を通過することで、第１領域Ａ１の光線領域に得られる上記ＤＣ光の反射光は、その偏光方向が−４５°回転されることで、図のようにｐ偏光に変換され、また、第２領域Ａ２の光線領域に得られる上記再生光は、その偏光方向が４５°回転されることで、ｓ偏光に変換される。
これにより、上記第１領域Ａ１のＤＣ光の照射に応じて得られた再生光（ｓ偏光）は、イメージセンサ１５にて反射され、イメージセンサ１５側に導かれることになる。
また、第１領域Ａ１のＤＣ光自体の反射光（ｐ偏光）は、偏光ビームスプリッタ９を透過し、イメージセンサ１５側には導かれないものとなる。
【００８５】
上記のようにして、第２の実施の形態の再生手法によれば、信号光エリアＡｓ全体にて生成したＤＣ光を１度のみ照射することで、記録した信号光全体についての再生光がイメージセンサ１５で検出されるようにすることができる。
このような第２の実施の形態の再生手法によれば、先の第１の実施の形態の再生手法を採る場合よりも再生速度（再生レート）の向上を図ることができる。
【００８６】
ここで、上記により説明した第２の実施の形態としての再生手法を実現するために、図１０に示した変調制御部２２としては、再生時において、ＳＬＭ６の信号光エリアＡｓ内の全画素をオン、それ以外の全画素をオフとするための駆動信号を生成し、該駆動信号によりＳＬＭ６の各画素を駆動することになる。
【００８７】
また、上記のようにしてこの場合のイメージセンサ１５では、１ホログラムページの再生につき、記録した信号光全体についての再生光が１度に検出されるので、図１０に示したデータ再生部２３は、図１に示したデータ再生部１７のような抽出・保持処理を行う必要はない。つまり、この場合のデータ再生部２３としては、上記のようにイメージセンサ１５で検出される信号光全体についての再生光の検出画像に基づき、例えば従来と同様の再生信号処理など、再生データを得るための必要な再生信号処理を行うように構成されていればよい。
【００８８】
＜第３の実施の形態＞
[記録再生装置の構成]
図１２は、第３の実施の形態の記録再生装置３０の内部構成を示すブロック図である。なおこの図１２においても既に説明済みとなった部分については同一符号を付して説明を省略する。
第３の実施の形態は、第２の実施の形態と同様、信号光の照射のみで記録した信号を偏光を利用して１度に再生する手法を採るものである。但し、第３の実施の形態の記録再生装置３０は、第２の実施の形態の記録再生装置２０と比較して、照射したＤＣ光の反射光成分を光源側に導かないようにするための構成を付加した点が異なる。
【００８９】
図１２に示されるようにして、記録再生装置３０は、先の図１０に示した記録再生装置２０から偏光制御素子２１を省略した上で、偏光ビームスプリッタ９と１／４波長板１０との間に第１偏光制御素子３１、偏光ビームスプリッタ３２、及び第２偏光制御素子３３を挿入した構成となっている。
上記第１偏光制御素子３１は、少なくとも信号光エリアＡｓを介した光（信号光エリアＡｓの光線領域の光）が入射する領域が、入射する直線偏光の偏光面を４５°回転させる旋光子で構成されている。
【００９０】
また、上記偏光ビームスプリッタ３２は、その構成自体は偏光ビームスプリッタ９と同様とされるが、次の図１３に示されるように、面内設置角度が、偏光ビームスプリッタ９の面内設置角度（０°）に対して４５°傾けられた状態で設置される。図のように偏光ビームスプリッタ９による光の分離方向をｙ軸方向とすれば、偏光ビームスプリッタ３２による光の分離方向は、このｙ軸から４５°ずれた方向となる。
【００９１】
図１２に戻り、第２偏光制御素子３３は、先の第２の実施の形態で説明した偏光制御素子２１と同様に、輪状の第１領域Ａ１と該第１領域Ａ１の内側の円形形状による第２領域Ａ２とが設定され、内側の上記第２領域Ａ２のみが、入射する直線偏光の偏光面を９０°回転させる旋光子で構成される。上記第１領域Ａ１は、入射直線偏光の偏光面を回転させない（不変とする）材料で構成される。
この第２偏光制御素子３３は、上記偏光ビームスプリッタ３２と１／４波長板１０との間において、ＳＬＭ６の実像面となる位置又はその近傍に配置されるようにその挿入位置が設定されている。また同時に、この第２偏光制御素子３３としても、ＳＬＭ６の第１領域Ａ１を介した光（第１領域Ａ１の光線領域の光）全体が当該第２偏光制御素子３３の第１領域Ａ１内に入射し、ＳＬＭ６の第２領域Ａ２を介した光（第２領域Ａ２の光線領域の光）全体が当該第２偏光制御素子３３の第２領域Ａ２に入射するようにその面内方向における位置が調整される。
このような第２偏光制御素子３３により、上記第１領域Ａ１の光線領域内の光の偏光方向と、上記第２領域Ａ２の光線領域内の光の偏光方向とに９０°の角度差を与えることができる。
【００９２】
[第３の実施の形態としての記録再生手法]
図１４は、上記により説明した記録再生装置３０によって実現される第３の実施の形態としての再生手法について説明するための図である。
図１４（ａ）は、図１２に示した偏光ビームスプリッタ９、第１偏光制御素子３１、偏光ビームスプリッタ３２、第２偏光制御素子３３、１／４波長板１０、及びホログラム記録媒体ＨＭのみを抽出して示している。
図１４（ｂ）は、第２領域Ａ２の光線領域の光（ＤＣ光）が上記各素子を通過した際の偏光状態の遷移、及び当該第２領域Ａ２のＤＣ光の照射に応じてホログラム記録媒体ＨＭから出力される再生光の偏光状態の遷移を先の図１１と同様の偏光状態表記により示している。
また図１４（ｃ）は、第１領域Ａ１の光線領域の光（ＤＣ光）が上記各素子を通過した際の偏光状態の遷移、及び当該第１領域Ａ１のＤＣ光の照射に応じてホログラム記録媒体ＨＭから出力される再生光の偏光状態の遷移を図１１と同様の偏光状態表記により示している。
【００９３】
先ず、この場合も再生時には、図１４（ａ）の再生時照射光として示すように信号光エリアＡｓ全体にてＤＣ光を生成することになる。この場合もＤＣ光はｐ偏光で偏光ビームスプリッタ９に入射し、当該偏光ビームスプリッタ９を透過する。
【００９４】
先ず図１４（ｂ）により、再生時照射光のうち第２領域Ａ２のＤＣ光が照射されることに伴う作用について説明する。
図示するようにｐ偏光による第２領域Ａ２のＤＣ光は、偏光ビームスプリッタ９を透過した後、第１偏光制御素子３１を通過することで、偏光方向が４５°だけ回転される（図中の右斜め方向の両矢印）。このように偏光方向が４５°傾けられることで、上記第１偏光制御素子３１を介した第２領域Ａ２のＤＣ光は、４５°傾斜して設置された偏光ビームスプリッタ３２を透過することになる。
【００９５】
偏光ビームスプリッタ３２を透過した第２領域Ａ２のＤＣ光は、第２偏光制御素子３３を通過する。この第２偏光制御素子３３を透過した第２領域Ａ２のＤＣ光は、その偏光方向が９０°回転され、図のように偏光方向が−４５°傾けられた状態（図中左斜め方向の両矢印）となる。
このように偏光方向が−４５°傾けられた状態の第２領域Ａ２のＤＣ光は、１／４波長板１０を通過することで右回りの円偏光に変換され、対物レンズ１１を介してホログラム記録媒体ＨＭに照射される。
【００９６】
このように第２領域Ａ２のＤＣ光が照射されることに応じ、第１領域Ａ１の再生光が得られ、この再生光は、ホログラム記録媒体ＨＭの反射膜にて反射され、装置側に第１領域Ａ１の光線領域の光として戻される。また、照射したＤＣ光自体も上記反射膜にて反射され、該反射光は第２領域Ａ２の光線領域の光として装置側に戻される。
この場合も上記反射膜による反射の作用により、円偏光の回転方向は逆方向に変換されるので、照射した第２領域Ａ２のＤＣ光の反射光と上記再生光の円偏光回転方向は、左回りに変換される。
【００９７】
このように左回り円偏光に変換された上記ＤＣ光の反射光と上記再生光は、１／４波長板１０を通過することで、偏光方向が４５°傾いた直線偏光（図中の右斜め方向の両矢印）に変換される。そして、このように１／４波長板１０を通過した上記ＤＣ光の反射光と上記再生光が、第２偏光制御素子３３に入射する。このことで、第２領域Ａ２の光線領域に得られる上記ＤＣ光の反射光は、その偏光方向が９０°回転され、図のように偏光方向が−４５°傾いた直線偏光（左斜め方向の両矢印）に変換され、一方、第１領域Ａ１の光線領域に得られる上記再生光は、その偏光方向は不変とされ、偏光方向が４５°傾いた直線偏光（右斜め方向の両矢印）のままとなる。
この結果、第２偏光制御素子３３を介した第２領域Ａ２のＤＣ光の反射光は、４５°傾斜設置された偏光ビームスプリッタ３２にて反射され、記録再生光の光線領域から分離されるものとなる。一方、第２偏光制御素子３３を介した上記再生光は、４５°傾斜設置された偏光ビームスプリッタ３２を透過し、第１偏光制御素子３１に入射する。
【００９８】
第１偏光制御素子３１に入射した上記再生光は、当該第１偏光制御素子３１にて偏光方向が４５°回転されることで、図のようにｓ偏光に変換される。これにより上記再生光は、偏光ビームスプリッタ９にて反射され、イメージセンサ１５側に導かれるものとなる。
【００９９】
また、図１４（ｃ）において、ｐ偏光による第１領域Ａ１のＤＣ光は、偏光ビームスプリッタ９を透過した後、第１偏光制御素子３１を通過することで、偏光方向が４５°だけ回転される（右斜め方向の両矢印）。このように偏光方向が４５°傾けられることで、上記第１偏光制御素子３１を介した第１領域Ａ１のＤＣ光としても、偏光ビームスプリッタ３２を透過することになる。
【０１００】
偏光ビームスプリッタ３２を透過した第１領域Ａ１のＤＣ光は、第２偏光制御素子３３を通過した後も、その偏光方向は不変となり、図のように偏光方向が４５°傾けられた状態を維持する。
上記第２偏光制御素子３３を通過した第１領域Ａ１のＤＣ光は、１／４波長板１０を通過することで左回りの円偏光に変換され、対物レンズ１１を介してホログラム記録媒体ＨＭに照射される。
【０１０１】
このように第１領域Ａ１のＤＣ光が照射されることに応じ、第２領域Ａ２の再生光が得られ、この再生光は、ホログラム記録媒体ＨＭの反射膜にて反射され、装置側に第２領域Ａ２の光線領域の光として戻される。また、照射したＤＣ光自体も上記反射膜にて反射され、該反射光は第１領域Ａ１の光線領域の光として装置側に戻される。
この場合も上記反射膜による反射の作用により、円偏光の回転方向は逆方向に変換され、照射した第１領域Ａ１のＤＣ光の反射光と上記再生光の円偏光回転方向は、右回りに変換される。
【０１０２】
このように右回り円偏光に変換された上記ＤＣ光の反射光と上記再生光は、１／４波長板１０を通過することで、偏光方向が−４５°傾いた直線偏光（右斜め方向の両矢印）に変換される。そして、このように１／４波長板１０を通過した上記ＤＣ光の反射光と上記再生光が、第２偏光制御素子３３に入射する。このことで、第１領域Ａ１の光線領域に得られる上記ＤＣ光の反射光は、その偏光方向が不変とされ、図のように偏光方向が−４５°傾いた直線偏光（左斜め方向の両矢印）のまま偏光ビームスプリッタ３２に入射する。一方、第２領域Ａ２の光線領域に得られる上記再生光は、その偏光方向が９０°回転されることで、偏光方向が４５°傾いた直線偏光（右斜め方向の両矢印）に変換されて偏光ビームスプリッタ３２に入射する。
この結果、第２偏光制御素子３３を介した第１領域Ａ１のＤＣ光の反射光は、偏光ビームスプリッタ３２にて反射され、記録再生光の光線領域から分離されるものとなる。一方、第２偏光制御素子３３を介した上記再生光は、偏光ビームスプリッタ３２を透過し、第１偏光制御素子３１に入射する。
【０１０３】
第１偏光制御素子３１に入射した上記再生光は、当該第１偏光制御素子３１にて偏光方向が４５°回転されることで、図のようにｓ偏光に変換される。これにより上記再生光は、偏光ビームスプリッタ９にて反射され、イメージセンサ１５側に導かれる。
【０１０４】
上記のようにして第３の実施の形態の再生手法によっても、信号光エリアＡｓ全体にて生成したＤＣ光を１度のみ照射することで、記録した信号光全体についての再生光がイメージセンサ１５で１度に検出されるようにすることができる。
従ってこの場合も、先の第１の実施の形態の再生手法と比較して、再生速度（再生レート）の向上を図ることができる。
【０１０５】
そして、第３の実施の形態によれば、さらに照射したＤＣ光の反射光成分を記録再生光の光線領域から分離し、光源であるレーザダイオード２側に戻されないようにすることができる。
【０１０６】
＜変形例＞
以上、本発明の実施の形態について説明したが、本発明としてはこれまでに説明した具体例に限定されるべきものではない。
例えば、第１の実施の形態では、信号光エリアＡｓの全域を対象として記録データを敷き詰めて記録を行う場合を例示したが、第１領域Ａ１・第２領域Ａ２ごとに記録データを敷き詰め、これら第１領域Ａ１と第２領域とで独立してデータ記録を行うようにするといったこともできる。
この場合、再生時には、１回目のＤＣ光照射によって得られる第２領域Ａ２の画像信号、２回目のＤＣ光照射によって得られる第１領域Ａ１の画像信号は、それぞれ独立して扱うことができる。すなわちこの場合、記録データを再生するにあたっては、上記第１領域Ａ１の画像信号の再生信号処理と上記第２領域Ａ２の画像信号の再生信号処理とをそれぞれ独立して行うことができる。
但し、この場合としても、１回目のＤＣ光照射に応じたイメージセンサ１５の検出画像から再生光が得られた領域の画像信号を抽出・保持する処理、２回目のＤＣ光照射に応じたイメージセンサ１５の検出画像から再生光が得られた領域の画像信号を抽出・保持する処理は行う必要がある。
【０１０７】
また、第１の実施の形態において、再生光成分の抽出処理は、ＳＬＭ６とイメージセンサ１５との間で厳密なピクセルマッチングがとられていることを前提とした場合には、イメージセンサ１５上の予め定められた領域の画像信号を抽出する（具体的には、予め定め第１領域Ａ１の再生光が入射するとして定められた領域、第２領域Ａ２の再生光が入射するとして定められた領域の画像信号をそれぞれ抽出する）ことで行うことができる。
但し、実際の光学系において、ＳＬＭ６とイメージセンサ１５との間で厳密なピクセルマッチングをとることは極めて困難であり、像のシフトや拡大／縮小などが生じるのが通常である。
このため、実際の構成においては、再生光がイメージセンサ１５上のどの範囲で結像したかを確認する処理が必要となる。
このような再生光の結像範囲の確認処理は、記録時に信号光内の所定位置にシンクと呼ばれる所定のデータパターンを挿入しておき、再生時にその検出位置から結像範囲を推定する手法や、再生光を模したテンプレートを用いたテンプレートマッチングで結像範囲を推定する手法などが知られている。
このような再生光の結像範囲の確認処理を行う場合、抽出処理としては、当該確認処理で求まった範囲の画像信号を抽出することになる。
【０１０８】
また、第１の実施の形態において、イメージセンサ１５による検出画像に対する再生信号処理としては、従来と同様の処理を行う場合を例示したが、具体的な再生信号処理の手法は特に限定はされない。
ここで、これまでの説明からも理解されるように、信号光の照射のみで記録した情報を再生する上で重要となるのは、照射したＤＣ光自体の反射光成分を除く、再生光の成分のみを適正に抽出するという点である。従って、抽出された信号光全体の再生光に基づき記録データを再生するための信号処理の内容は、ここで特に限定されるべきものではない。
【０１０９】
また、第１の実施の形態では、信号光エリアＡｓの全体に記録データを敷き詰め、レンズ開口全体を情報記録に使用する場合を例示したが、例えば再生時のＤＣ光によるノイズの影響を考慮して、各領域間に境界領域を設けるようにすることもできる。具体的には、例えば幅数画素程度の境界領域として、データ「０」（光強度「０」）で埋める領域を設定するものである。例えば、図１７に示す参照光エリアＡｒを第１領域Ａ１、信号光エリアＡｓを第２領域Ａ２、ギャップエリアＡｇを上記境界領域に設定するなどの例を挙げることができる。
ここで、照射したＤＣ光の反射光は、再生光よりも光強度が強となる。従って、照射したＤＣ光の反射光は再生光に対するノイズ成分となり、特に、イメージセンサ１５の検出画像中において、再生光成分とＤＣ光の反射光成分との境界部分はノイズによる大きな影響を受け、情報再生を行うことが困難となってしまう虞がある。
このため、上記のような境界領域を設ける。これによれば、記録時には、該境界領域には実データが記録されないので、再生時にこの領域を再生する必要はないものとできる。そして再生時には、ＤＣ光は、このような境界領域により隔てられた第１領域Ａ１と第２領域Ａ２にてそれぞれ生成・照射されることになるので、照射したＤＣ光の反射光と該ＤＣ光の照射によって得られた再生光との間には、光強度「０」による領域が介在するものとなり、この結果、ＤＣ光の反射光が再生光に与えるノイズの影響を効果的に抑圧することができる。
なお確認のために述べておくと、このような境界領域を設定した場合としても、参照光を照射して記録再生を行う従来のコアキシャル方式と比較すれば、１度に記録再生可能なデータ容量の拡大が図られることに変わりはない。
【０１１０】
また、第１の実施の形態において、ＤＣ光の照射順については第１領域Ａ１→第２領域Ａ２とする場合を例示したが、これらの順を入れ替えることもできる。
但し、ＤＣ光の照射順を変更した場合、データ再生部１７にて１回目の検出画像中から抽出を行うべき領域、２回目の検出画像中から抽出を行うべき領域が変化する。具体的に、図５に示した領域分割を行う場合、及び変形例２の領域分割を行う場合は、１回目：第１領域Ａ１、２回目：第２領域Ａ１を抽出し、変形例１の領域分割を行う場合は１回目：第２領域Ａ２、２回目：第１領域Ａ１を抽出することになる。
【０１１１】
また、第１の実施の形態では、時分割再生の分割回数を２回とする場合を例示したが、３以上の領域分割を行って３回以上の時分割再生を行うことも勿論可能である。
【０１１２】
また、第２及び第３の実施の形態では、図５に示したものと同様の領域分割を行う場合を例示したが、領域分割の手法はこれに限定されるべきものではない。
【０１１３】
また、これまでの説明では、本発明が、反射膜を備える反射型のホログラム記録媒体が使用される場合に適用される場合を例示したが、本発明は、反射膜を有さない透過型のホログラム記録媒体が使用される場合にも好適に適用することができる。
透過型ホログラム記録媒体に対応する場合、装置の構成としては、例えば図４（ｂ）などに示されるようにホログラム記録媒体の反対側にも対物レンズを設け、当該対物レンズを介した光がイメージセンサに対して導かれるように光学系を構成する。
このとき、第２及び第３の実施の形態のように偏光を利用した同時再生を行うとした場合には、上記対物レンズから上記イメージセンサまでの光路中に対して、再生光成分のみを上記イメージセンサに対して導くための偏光ビームスプリッタと偏光制御部の組を挿入することになる。
【０１１４】
また、これまでの説明では、信号光エリアＡｓが円形に設定される場合を例示したが、信号光エリアＡｓの形状はこれに限定されるべきものでなく、例えば矩形状など他の形状に設定することもでき、その場合にも、本発明は好適に適用できる。
【０１１５】
また、これまでの説明では、信号光のみの照射で記録した情報についての再生光をＤＣ光を照射して得る手法として、領域分けによる時分割再生を行う手法、及び偏光を利用して同時再生を行う手法のみを例示したが、最終的に記録した信号光全体についての再生光がイメージセンサにて検出されるようにすることのできる手法であれば、具体的な再生手法はこれらに限定されるのではない。
【０１１６】
また、これまでの説明では、本発明が記録機能と再生機能の双方を有する記録再生装置に適用される場合を例示したが、記録機能を有さない再生専用装置（再生装置）とすることも可能である。
或いは、再生機能を有さない記録専用装置（記録装置）とすることも可能である。なお、記録装置とする場合、再生時照射光を生成するための構成（変調制御部１６,２２における再生時の駆動制御機能）、及び再生光を検出するイメージセンサ、及び再生光をイメージセンサに導くための偏光ビームスプリッタは省略することができる。
【図面の簡単な説明】
【０１１７】
【図１】第１の実施の形態としての記録再生装置の内部構成を示したブロック図である。
【図２】レンズによるフーリエ変換作用について説明するための図である。
【図３】従来のコアキシャル方式について考察するための図である。
【図４】第１の実施の形態としての記録再生手法について説明するための図である。
【図５】第１の実施の形態において空間光変調器に設定する各領域について説明するための図である。
【図６】変形例１の領域分割を行う場合に空間光変調器に設定する各領域について説明するための図である。
【図７】変形例１の領域分割を行う場合の再生手法について説明するための図である。
【図８】変形例２の領域分割を行う場合に空間光変調器に設定する各領域について説明するための図である。
【図９】変形例２の領域分割を行う場合の再生手法について説明するための図である。
【図１０】第２の実施の形態の記録再生装置の内部構成を示したブロック図である。
【図１１】第２の実施の形態としての再生手法について説明するための図である。
【図１２】第３の実施の形態の記録再生装置の内部構成を示したブロック図である。
【図１３】第３の実施の形態の記録再生装置に設けられる偏光ビームスプリッタの設置角度について説明するための図である。
【図１４】第３の実施の形態としての再生手法について説明するための図である。
【図１５】従来のコアキシャル方式による記録手法について説明するための図である。
【図１６】従来のコアキシャル方式による再生手法について説明するための図である。
【図１７】従来のコアキシャル方式が採用される場合における空間光変調器の各エリア設定について説明するための図である。
【符号の説明】
【０１１８】
１,２０,３０  記録再生装置、２  レーザダイオード（ＬＤ）、３  コリメータレンズ、４,１３  ミラー、６  ＳＬＭ、７,８,１２,１４  リレーレンズ、９,３２  偏光ビームスプリッタ、１０  １／４波長板、１１  対物レンズ、１５  イメージセンサ、１６,２２  変調制御部、１７,２３  データ再生部、２１  偏光制御素子、３１  第１偏光制御素子、３３  第２偏光制御素子、ＨＭ  ホログラム記録媒体
【図１】
2010092566.tif 000004
【図２】
2010092566.tif 000005
【図３】
2010092566.tif 000006
【図４】
2010092566.tif 000007
【図５】
2010092566.tif 000008
【図６】
2010092566.tif 000009
【図７】
2010092566.tif 000010
【図８】
2010092566.tif 000011
【図９】
2010092566.tif 000012
【図１０】
2010092566.tif 000013
【図１１】
2010092566.tif 000014
【図１２】
2010092566.tif 000015
【図１３】
2010092566.tif 000016
【図１４】
2010092566.tif 000017
【図１５】
2010092566.tif 000018
【図１６】
2010092566.tif 000019
【図１７】
2010092566.tif 000020